(57)【要約】【課題】表示部が設けられていても内部の異物を容易に除去できる光学ファインダユニットの技術を提供する。【解決手段】光学ファインダ部６０は、その内部空間を介して被写体光像をファインダ窓１０に導くペンタミラー６１と、内部空間を介してファインダ窓１０に表示内容の表示が可能な表示ユニット６３とを備えている。そして、表示ユニット６３は、全閉位置Ｑａにセットされて内部空間の開口ＯＰが閉蓋される状態(セット状態)から、内部空間が開蓋される全開位置Ｑｅの状態(非セット状態)への移行が可能である。これにより、光学ファインダ部６０に表示ユニット６３が設けられていても内部の異物を容易に除去できる。【選択図】図１１
2011033670.tif 000002
【特許請求の範囲】
【請求項１】
光学ファインダユニット内に形成された内部空間を介して被写体光像をファインダ窓に導く導光手段と、
所定位置にセットされたセット状態にて、前記内部空間を介して前記ファインダ窓に表示内容の表示が可能な表示部と、
を備えており、
前記セット状態の表示部によって前記内部空間の開口が閉蓋されるとともに、
前記表示部は、前記セット状態から、前記所定位置にセットされず前記内部空間が開蓋される非セット状態への移行が可能である光学ファインダユニット。
【請求項２】
前記表示部は、所定の機構により、前記内部空間の開口外向き方向へのシフト動作と所定の回動軸を中心とした回動動作とが可能であり、
前記セット状態の表示部は、前記開口外向き方向へのシフト後に前記所定の回動軸を中心とした回動を行うことにより、前記非セット状態に移行される請求項１記載の光学ファインダユニット。
【請求項３】
前記所定の機構は、
前記内部空間が開蓋される方向についての前記表示部の回動を制限するストッパ、
を有する請求項２記載の光学ファインダユニット。
【請求項４】
撮影光学系を通った被写体光像に係る結像を行う焦点板、
をさらに備え、
前記表示部と前記焦点板との間には弾発性の部材が設けられる請求項１記載の光学ファインダユニット。
【請求項５】
前記所定の機構は、前記所定の回動軸に係る両端部の周りに前記表示部を回動させる２の回動部を有し、
前記２の回動部に挟まれた内側領域には、略矩形環状の弾発性部材が設けられる請求項２記載の光学ファインダユニット。
【請求項６】
前記表示部は、
表示画面を備えた本体部と、
前記表示画面に対しての投光が可能な発光部と、
を有し、
前記本体部と前記発光部とは所定の部材上に配設される請求項１記載の光学ファインダユニット。
【請求項７】
光学ファインダ内に形成された内部空間を介して被写体光像をファインダ窓に導く導光手段と、
所定位置にセットされたセット状態にて、前記内部空間を介して前記ファインダ窓に表示内容の表示が可能な表示部と、
を有してなる光学ファインダ部を備えており、
前記セット状態の表示部によって前記内部空間の開口が閉蓋されるとともに、
前記表示部は、前記セット状態から、前記所定位置にセットされず前記内部空間が開蓋される非セット状態への移行が可能である撮像装置。
【発明の詳細な説明】
【技術分野】
【０００１】
本発明は、表示部を備えた光学ファインダユニットの技術に関する。
【背景技術】
【０００２】
デジタルカメラ等として構成される一眼レフタイプのカメラ(撮像装置)では、光学ファインダ部(光学ファインダユニット)を備えてファインダ窓から被写体像の視認が可能である(例えば特許文献１参照)。さらには、光学ファインダユニットに例えば液晶ディスプレイとして構成された表示部(ファインダ内表示部)が設けられ、その表示内容を被写体像に重畳させてファインダ窓から視認できる撮像装置も知られている。
【０００３】
このようなファインダ内表示部は、その配線部を含めて光学ファインダユニットに固定して設置されることで、光学ファインダユニットの密閉性を高めて防塵性能の向上が図られている。
【先行技術文献】
【特許文献】
【０００４】
【特許文献１】特開２００８−１５４７６号公報
【発明の概要】
【発明が解決しようとする課題】
【０００５】
しかしながら、上記の光学ファインダユニットでは、ファインダ内表示部が固設されるため、光学ファインダユニットを組み立ててミラーボックスやカメラセットに搭載した後には光学ファインダユニットの内部にアクセスできなくなる。このため、製品状態の撮像装置において例えば内部に向いたファインダ内表示部の表面に付着している異物がファインダ窓で視認されたとしても、その異物の除去は容易でない。
【０００６】
なお、光学ファインダユニットを分解すれば内部の異物を除去できるが、その分解作業に多大な手間とコストが必要になる。
【０００７】
本発明は、上記課題に鑑みてなされたものであり、表示部が設けられていても内部の異物を容易に除去できる光学ファインダユニットの技術を提供することを目的とする。
【課題を解決するための手段】
【０００８】
本発明の１つの側面は、光学ファインダユニットであって、光学ファインダユニット内に形成された内部空間を介して被写体光像をファインダ窓に導く導光手段と、所定位置にセットされたセット状態にて、前記内部空間を介して前記ファインダ窓に表示内容の表示が可能な表示部とを備えており、前記セット状態の表示部によって前記内部空間の開口が閉蓋されるとともに、前記表示部は、前記セット状態から、前記所定位置にセットされず前記内部空間が開蓋される非セット状態への移行が可能である。
【発明の効果】
【０００９】
本発明によれば、所定位置にセットされたセット状態にて光学ファインダユニット内に形成された内部空間を介しファインダ窓に表示内容の表示が可能な表示部は、内部空間の開口が閉蓋されるセット状態から、所定位置にセットされず内部空間が開蓋される非セット状態への移行が可能である。その結果、光学ファインダユニットに表示部が設けられていても内部の異物を容易に除去できる。
【図面の簡単な説明】
【００１０】
【図１】本発明の実施形態に係る撮像装置の外観構成を示す図である。
【図２】撮像装置の外観構成を示す図である。
【図３】撮像装置の機能構成を示すブロック図である。
【図４】光学ファインダ部の外観構成を示す図である。
【図５】光学ファインダ部の外観構成を示す図である。
【図６】光学ファインダ部の下部に取り付けられる各部品を説明するための外観図である。
【図７】表示ユニットの外観構成を示す図である。
【図８】表示ユニットの外観構成を示す図である。
【図９】表示ユニットの外観構成を示す図である。
【図１０】分解された表示ユニットを示す斜視図である。
【図１１】表示ユニットの開閉動作を説明するための斜視図である。
【図１２】表示ユニットの開閉動作を説明するための斜視図である。
【図１３】表示ユニットの全開位置を説明するための斜視図である。
【図１４】照明用ＬＥＤ周辺の拡大図である。
【図１５】防塵クッションによる異物侵入防止について説明するための図である。
【図１６】防塵クッションによる異物侵入防止について説明するための図である。
【図１７】本発明の変形例に係る照明用ＬＥＤについて説明するための図である。
【発明を実施するための形態】
【００１１】
＜実施形態＞
［撮像装置の要部構成］
図１および図２は、本発明の実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１２】
図１に示すように、撮像装置１は、カメラ本体部（カメラボディ）２を備えている。このカメラ本体部２に対して、交換式の撮影レンズユニット（交換レンズ）３が着脱可能である。
【００１３】
撮影レンズユニット３は、主として、鏡胴３６、ならびに鏡胴３６の内部に設けられるレンズ群３７（図３参照）及び絞り等によって構成される。撮影光学系として働くレンズ群３７には、光軸方向に移動することによって焦点位置を変更するフォーカスレンズ等が含まれている。
【００１４】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１５】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１６】
また、カメラ本体部２は、正面左端部に撮影者が把持するためのグリップ部１４を備えている。グリップ部１４の上面には露光開始を指示するためのレリーズボタン１１が設けられており、グリップ部１４の内部には電池収納室とカード収納室とが設けられている。電池収納室にはカメラの電源として、例えばニッケル水素充電池等の二次電池や、アルカリ乾電池等の一次電池などが収納され、カード収納室には撮影画像の画像データを記録するためのメモリカード９０（図３参照）が着脱可能に収納されるようになっている。
【００１７】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００１８】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。なお、このファインダ窓１０を備えた光学ファインダ部６０(図４参照)の構成については、後で詳述する。
【００１９】
図２において、カメラ本体部２の背面の略中央には、背面モニタ１２が設けられている。背面モニタ１２は、例えばカラー液晶ディスプレイ（ＬＣＤ）として構成され、撮影条件等を設定するためのメニュー画面を表示したり、再生モードにおいてメモリカード９０に記録された撮影画像を再生表示したりすることができる。また、操作者が光学ファインダによる構図決めではなくライブビュー表示(電子ファインダ)による構図決めを選択した場合には、背面モニタ１２には、撮像素子７（後述）によって取得された時系列の複数の画像（すなわち動画像）がライブビュー画像として表示される。
【００２０】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２１】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２２】
背面モニタ１２の左側には、メニュー画面の設定、画像の削除などを行うための複数のボタンからなる設定ボタン群８３が設けられている。
【００２３】
つぎに、図３を参照しながら、撮像装置１の機能の概要について説明する。図３は、撮像装置１の機能構成を示すブロック図である。
【００２４】
図３に示すように、撮像装置１は、操作部８０、全体制御部１０１、フォーカス制御部１２１、ミラー制御部１２２、シャッタ制御部１２３、タイミング制御回路１２４、およびデジタル信号処理回路５０等を備える。
【００２５】
操作部８０は、レリーズボタン１１（図１参照）を含む各種ボタンおよびスイッチ等を備えて構成される。操作部８０に対する操作者の入力操作に応答して、全体制御部１０１が各種動作を実現する。
【００２６】
全体制御部１０１は、マイクロコンピュータとして構成されており、主にＣＰＵ、ＲＡＭおよびＲＯＭを備えている。
【００２７】
全体制御部１０１は、ＲＯＭ内に格納されるプログラムを読み出し、当該プログラムをＣＰＵで実行することによって、各種機能をソフトウェア的に実現する。例えば、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式の合焦状態検出手法(位相差ＡＦ)により被写体の合焦状態を検出することが可能である。
【００２８】
また、全体制御部１０１は、ソフトウェア的に実現される表示制御部１０２を有している。表示制御部１０２は、撮像素子５または撮像素子７で順次に生成される画像信号に基づき、本撮影前に被写体のライブビュー表示(プレビュー表示)を背面モニタ１２で行わせる電子ファインダを実現する。
【００２９】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３０】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３１】
シャッタ制御部１２３は、全体制御部１０１から入力される信号に基づいて制御信号を生成しモータＭ３を駆動することによって、シャッタ４の開閉を制御する。
【００３２】
タイミング制御回路１２４は、撮像素子５等に対するタイミング制御を行う。
【００３３】
撮像素子５は、例えばＣＭＯＳセンサとして構成されており、光電変換作用により被写体の光像を電気的信号に変換し、本撮影画像に係る画像信号（記録用の画像信号）を生成する。この撮像素子５は、画像記録用(記録画像取得用)の撮像素子であるとも表現される。
【００３４】
撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号をＡＧＣ(Auto Gain Control)回路等を備えた信号処理部５１へ出力する。また、タイミング制御回路１２４からのタイミング信号（同期信号）は、信号処理部５１及びＡ／Ｄ（アナログ／デジタル）変換回路５２にも入力される。
【００３５】
撮像素子５で取得された画像信号は、信号処理部５１で所定のアナログ信号処理（例えばＡＧＣ回路でゲインアップなどを施して画像の輝度レベルを適正化する処理）が施され、当該アナログ信号処理後の画像信号はＡ／Ｄ変換回路５２によってデジタル画像データ（画像データ）に変換される。この画像データは、デジタル信号処理回路５０に入力される。
【００３６】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）補正回路５４、γ補正回路５５及び画像メモリ５６を備える。
【００３７】
黒レベル補正回路５３は、Ａ／Ｄ変換回路５２が出力した画像データを構成する各画素データの黒レベルを基準の黒レベルに補正する。ＷＢ補正回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００３８】
本撮影時には、画像メモリ５６に一時記憶される画像データは、全体制御部１０１において適宜画像処理（圧縮処理等）が施された後、カードＩ／Ｆ１３２を介してメモリカード９０に記憶される。
【００３９】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４０】
また、撮像装置１は、撮像素子５とは別の撮像素子７をさらに備えている。撮像素子７は、後述する光学ファインダ部６０(図４参照)に配設されており、いわゆるライブビュー画像取得（動画像取得）専用の撮像素子としての役割を果たす。撮像素子７も、撮像素子５と同様の構成を有している。ただし、撮像素子７は、ライブビュー用の画像信号（動画像）を生成するための解像度を有していればよく、通常、撮像素子５よりも少ない画素数であり、低消費電力となっている。
【００４１】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００４２】
また、撮像素子７で取得され画像メモリ５６に格納される時系列の画像データは、全体制御部１０１によってＶＲＡＭ１３１に順次に転送され、当該時系列の画像データに基づく画像が背面モニタ１２に表示される。これによって、構図決めを行うための動画的態様の表示（ライブビュー表示）が実現される。
【００４３】
さらに、撮像装置１は、通信用Ｉ／Ｆ１３３を有しており、当該インターフェイス１３３の接続先の機器（例えば、パーソナルコンピュータ等）とデータ通信をすることが可能である。
【００４４】
また、撮像装置１は、フラッシュ４１、フラッシュ制御回路４２、およびＡＦ補助光発光部４３を備えている。フラッシュ４１は、被写体の輝度不足時等に利用される光源である。フラッシュ４１の点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００４５】
また、撮像装置１は、後述する光学ファインダ部６０の表示ユニット(表示部)６３に設けられたファインダ内ＬＣＤ６３１および照明用ＬＥＤ６３２を備えている。このファインダ内ＬＣＤ６３１には、例えばＡＦモジュール２０を用い撮影範囲内で被写体の焦点検出が可能な位置(領域)が表示される。これらのファインダ内ＬＣＤ６３１および照明用ＬＥＤ６３２は、ドライバ(駆動回路)６９を介し全体制御部１０１によって制御される。なお、表示ユニット６３の具体的な構成については、後で詳述する。
【００４６】
［光学ファインダ部６０の要部構成］
図４および図５は、光学ファインダ部６０の外観構成を示す図である。ここで、図４は、光学ファインダ部６０を上方斜め前から見た斜視図であり、図５は、光学ファインダ部６０を下方斜め後ろから見た斜視図である。
【００４７】
光学ファインダ部(光学ファインダユニット)６０は、撮像装置１に組み込まれるミラーボックスの上部に取り付けられる部位(モジュール)であり、その後方部に上述のファインダ窓１０を備えている。また、光学ファインダ部６０には、ペンタミラー６１が前方部に設けられるとともに、付勢バネ６５によって保持される焦点板６２が下方部に取り付けられている。
【００４８】
ペンタミラー６１は、光学ファインダ部６０内に形成された内部空間を介して被写体光像をファインダ窓１０に導く導光手段として機能する。また、ペンタミラー６１では、焦点板６２に写る被写体光像の向きを調整してファインダ窓１０に送る複数のミラーがペンタホルダ６１ｈに保持されており、そのうち１枚のミラー(可動ミラー)６１ａでは、その傾斜角度の変更が可能となっている。ここで、可動ミラー６１ａの角度を変化させれば、焦点板６２を通って光学ファインダ部６０の内部空間に入射した被写体光がペンタミラー６１で反射する際に、その進路変更を行えることとなる。これにより、本実施形態の撮像装置１では、ファインダ窓１０に被写体光像を表示するＯＶＦ(光学ファインダ)モードと、ホルダ７０に保持された撮像素子７に被写体光像を導いて撮像素子７で取得した被写体画像に基づくライブビュー表示を背面モニタ１２で行うＥＶＦ(電子ビューファインダ)モードとの切替えが可能となっている。
【００４９】
図６は、光学ファインダ部６０の下部に取り付けられる各部品を説明するための外観図である。ここで、図６(ａ)は、光学ファインダ部６０を略側方から見た分解斜視図を示し、図６(ｂ)は、光学ファインダ部６０を略前方から見た分解斜視図を示している。なお、図６(ａ)および図６(ｂ)では、表示ユニット６３が後述する全開位置Ｑｅの姿勢となっている。
【００５０】
光学ファインダ６０の下部には、撮影レンズユニット３のレンズ群３７を通った被写体光像に関しての結像を行う焦点板６２の取付けが可能である。この焦点板６２と表示ユニット６３との間には、焦点板６２を光軸方向に精度良く位置決めして焦点距離を合わせるためのスペーサ６４が介挿される。そして、光学ファインダ部６０の下方から付勢力を与える板バネ式の付勢バネ６５により、焦点板６２およびスペーサ６４が一定の圧力下でペンタホルダ６１ｈに格納され保持されることとなる。
【００５１】
次に、表示ユニット６３の構成について詳しく説明する。
【００５２】
図７〜図９は、表示ユニット６３の外観構成を示す図である。ここで、図７および図８は、図５のように表示ユニット６３が光学ファインダ部６０に格納されている場合に、略上方(＋Ｙ)方向および略下方(−Ｙ)方向それぞれから表示ユニット６３を見た斜視図を示している。また、図９(ａ)および図９(ｂ)は、表示ユニット６３の上面図および下面図を示している。さらに、図１０は、図８に示す表示ユニット６３をＹ軸方向に分解した斜視図である。
【００５３】
表示ユニット６３は、上述のファインダ内ＬＣＤ６３１および照明用ＬＥＤ６３２と、金属製の部材として構成されるホルダ６３３と、ホルダ６３３の上面に貼付される防塵クッション６３４と、ドライバ６９(図３)との間の配線(の一部)を構成するフレキシブルプリント基板(ＦＰＣ)６３５とを備えている。
【００５４】
表示ユニット６３の本体部であるファインダ内ＬＣＤ６３１は、表示画面を備え略矩形板状の形状を有する透過型の液晶ディスプレイとして構成され、ＦＰＣ６３５の本体部６３５ａ上に設けられたコネクタ６３５ｃに接続するＬＣＤ用ＦＰＣ６３１ｆを備えている。そして、ファインダ内ＬＣＤ６３１は、略矩形環状の形状を有した両面テープＤＴにより、ホルダ６３３に位置決め貼付される。
【００５５】
ホルダ６３３は、略矩形環状の形状を有した基部６３３ａを備えるとともに、この基部６３３ａの両端それぞれから直交方向に折曲した各側面部６３３ｂ、６３３ｃを有している。そして、側面部６３３ｃには、基部６３３ａに対して４７°の傾斜を有したエッジ部６３３ｋが形成されるとともに、後述の縦長孔に係入する金属製のピンＰｂが固設されている。また、側壁部６３３ｂには、後述のカム孔Ｈｃ(図１２参照)に係合する金属製のピンＰａが固設されるとともに、ピンＰａの斜め下方で側壁部６３３ｃのピンＰｂに対応する位置に円形の貫通孔Ｈａが形成されている。
【００５６】
防塵クッション６３４は、例えばポリウレタンフォーム材で形成された弾発性の部材として構成され、防塵性能を有している。
【００５７】
ＦＰＣ６３５は、本体部６３５ａと、この本体部６３５ａに接続し、例えばファインダ内ＬＣＤ６３１の表示画面に対しての投光が可能な照明用ＬＥＤ(発光部)６３２が実装されたＬＥＤ用ＦＰＣ６３５ｆとを備えている。ＬＥＤ用ＦＰＣ６３５ｆは、その先端部Ｆｓが両面テープＤＴによりファインダ内ＬＣＤ６３１と同じホルダ６３３の表面に貼付されて固定されるが、このＬＥＤ用ＦＰＣ６３５ｆを貼付する際には、図７や図９(ａ)に示すように照明用ＬＥＤ６３２がファインダ内ＬＥＤ６３１に対して適切に離間するように位置決めされる。
【００５８】
以上のような構成を有する表示ユニット６３では、図８(や図５の網掛け部)のようにＬＣＤ用ＦＰＣ６３１ｆおよびＬＥＤ用ＦＰＣ６３５ｆが、それぞれファインダ内ＬＣＤ６３１の短辺付近から表示ユニット６３の回転軸(回動軸)を形成するピンＰｂおよび後述のピンＰｃ(図１１〜１２参照)の方向に引き出されることにより、ＬＣＤ用ＦＰＣ６３１ｆおよびＬＥＤ用ＦＰＣ６３５ｆの配置を適切化して省スペースが図れることとなる。
【００５９】
また、表示ユニット６３では、ピンＰｂと後述のピンＰｃ(図１１〜１２参照)とで構成される回動軸を中心とした回動により光学ファインダ部６０に対して開閉動作が可能となっている。次に、この表示ユニット６３の開閉動作について説明する。
【００６０】
［表示ユニット６３の開閉動作について］
図１１および図１２は、表示ユニット６３の開閉動作を説明するための斜視図である。ここで、図１１(ａ)は、全閉位置Ｑａの表示ユニット６３を示し、図１１(ｂ)は、全開位置(開放位置)Ｑｅの表示ユニット６３を示している。また、図１２(ａ)〜(ｅ)は、表示ユニット６３が全閉位置Ｑａから全開位置Ｑｅに移行する際の動作を表している。
【００６１】
図１１に示すように光学ファインダ部６０から付勢バネ６５、焦点板６２およびスペーサ６４を取り外すと、表示ユニット６３は、ホルダ６３３の貫通孔Ｈａ(図８)に嵌入されたロケット状のピン(円柱ピンの先端を円錐形状にしたピン)Ｐｃとホルダ６３３のピンＰｂ(図７)とを中心軸とした回動が可能となっている。これにより、表示ユニット６３は、光学ファインダ部６０の下部に形成された開口ＯＰ(図１１(ｂ))に蓋をして光学ファインダ部６０の内部を密閉する全閉位置Ｑａと、全閉位置Ｑａから例えば４７°回動した全開位置Ｑｅとの間で姿勢変更を行える。換言すれば、全閉位置Ｑａにセットされた状態(セット状態)の表示ユニット６３によって光学ファインダ部６０内に形成された内部空間の開口ＯＰが閉蓋される一方、表示ユニット６３は、このセット状態から、全閉位置Ｑａにセットされず光学ファインダ部６０の内部空間が開蓋される全開位置Ｑｅの状態(非セット状態)への移行が可能である。ここで、表示ユニット６３は、上記のセット状態にて、光学ファインダ部６０の内部空間を介しファインダ窓１０に例えば被写体光像に重畳させて表示内容(例えば焦点検出領域の表示)の表示を行えることとなる。
【００６２】
表示ユニット６３の開閉動作に関して図１２を参照して詳しく説明する。ペンタホルダ６１ｈ下部の側壁６１ｓには、Ｙ軸方向に沿った直線状の長孔（以下では「縦孔」ともいう）の中央付近から(−Ｚ)方向に直線状の長孔(以下では「横孔」ともいう)が伸びた「Ｔ」字状のカム孔Ｈｃが形成されており、このカム孔Ｈｃに表示ユニット６３のピンＰａが係合するようになっている。
【００６３】
このため、表示ユニット６３の開閉動作においては、まず図１２(ａ)のようにピンＰａがカム孔Ｈｃの縦孔下端に位置する表示ユニット６３の全閉位置Ｑａから、表示ユニット６３を若干上昇させてピンＰａがカム孔Ｈｃの横孔入口に位置させるようにする。そして、図１２(ｃ)〜(ｅ)のようにピンＰａがカム孔Ｈｃの横孔に沿って左端(奥)まで移動する動作を行う。これにより、ピンＰｃ(および反対側のピンＰｂ)を中心に表示ユニット６３が中間位置Ｑｃ、Ｑｄを経て全開位置Ｑｅに至る回動を安定して行えることとなる。なお、ペンタホルダ６１ｈの側壁６１ｓには、回動軸としての各ピンＰｂ、Ｐｃが係入する孔が設けられるが、上述した表示ユニット６３の上昇動作を行えるだけのＹ軸方向の長さを有した縦長孔となっている。
【００６４】
以上のように表示ユニット６３は、ピンＰａをカム孔Ｈｃに沿ってガイドするガイド機構とピンＰｂ、Ｐｃを用いた回動機構とにより、光学ファインダ部６０の開口ＯＰの外向き方向へのシフト動作と、２個のピンＰｂ、Ｐｃからなる回動軸を中心とした回動動作とが可能である。そして、全閉位置Ｑａにセットされた状態(セット状態)の表示ユニット６３を開動作させる際には、図１２(ａ)〜(ｅ)に示す手順のように開口ＯＰの外向き方向へのシフト後に、上記の回動軸を中心とした回動を行うことにより、全開位置Ｑｅの状態(非セット状態)に移行するようにする。このような表示ユニット６３の開動作により、全閉位置Ｑａの表示ユニット６３は一旦上昇してから全開位置Ｑｅまで回動されるため、比較的脆弱なファインダ内ＬＣＤ６３１の側面（ガラスエッジ部）が、その周囲に配置される他の部材(例えばペンタホルダ６１ｈの内壁)と過度に摩擦接触して破損するのを防止できることとなる。
【００６５】
また、表示ユニット６３については、全閉位置Ｑａから４７°回動した全開位置Ｑｅにて傾斜姿勢が保持されるが、これは図１３に示すように４７°の傾斜を有した表示ユニット６３のエッジ部６３３ｋ(図１０)がペンタホルダ６１ｈの内壁に当接するためである。すなわち、表示ユニット６３のエッジ部６３３ｋとペンタホルダ６１ｈの内壁との組合せが、光学ファインダ部６０の内部空間が開蓋される方向についての表示ユニット６３の回動を制限するメカストッパとして機能する。これにより、表示ユニット６３が過度に回動するのを防止できる。なお、表示ユニット６３を光学ファインダ部６０に取り付ける際には図８(や図５の網掛け部)のようにＬＣＤ用ＦＰＣ６３１ｆおよびＬＥＤ用ＦＰＣ６３５ｆを湾曲させた状態で行われるが、この湾曲状態で生じる復元力(付勢力)を利用すれば、表示ユニット６３に作用する重力の影響を利用して、表示ユニット６３の回動を補助できる。
【００６６】
以上のことから、カメラ本体部２に組み込まれた表示ユニット６３を全閉位置Ｑａから全開位置Ｑｅに移行させれば、カメラ本体部２を分解せずとも、図１３に示す矢印ＣＬに沿って円環状のマウント部Ｍｔ(破線部)に形成された開口から清掃用器具などを差し入れることで、表示ユニット６３におけるファインダ内ＬＣＤ６３１の表面に付着した異物(ゴミや塵)や、光学ファインダ部６０の内部空間に侵入した異物を容易に除去することが可能となる。
【００６７】
ここで、図１４に示す照明用ＬＥＤ６３２周辺の拡大図のように照明用ＬＥＤ６３２が実装されたＬＥＤ用ＦＰＣ６３５ｆとファインダ内ＬＣＤ６３１とは、表示ユニット６３のホルダ６３３上に貼付されている。このようにファインダ内ＬＣＤ６３１と照明用ＬＥＤ６３２とがホルダ６３３の同一面上に配設されることにより、表示ユニット６３を全閉位置Ｑａから全開位置Ｑｅに移行させて清掃作業を行う際にも、ファインダ内ＬＣＤ６３１と照明用ＬＥＤ６３２とに関する相対的な位置関係が変化することがないため、照明用ＬＥＤ６３２によってファインダ内ＬＣＤ６３１の表面等を適切に照明できることとなる。
【００６８】
以上のように表示ユニット６３を全開位置Ｑｅにすれば光学ファインダ部６０内の清掃作業が可能となるものの、表示ユニット６３の開閉動作を行うための機構部（ピンＰａ〜Ｐｃやカム孔Ｈｃなど）や金属製のホルダ６３３の周囲には一定の間隙が生じてしまう。よって、これらの間隙から光学ファインダ部６０の内部空間に異物が侵入する可能性があり、侵入した異物がファインダ内ＬＣＤ６３１の表面などに付着する恐れもある。そこで、本実施形態の光学ファインダ部６０では、上述した防塵クッション６３４を設けることにより、防塵を図って異物の侵入を防ぐようにしている。この防塵クッション６３４による異物侵入防止について以下で説明する。
【００６９】
図１５は、防塵クッション６３４による異物侵入防止について説明するための図であり、光学ファインダ部６０を下方(−Ｙ方向)から見た図である。なお、光学ファインダ部６０を下方から見た場合、防塵クッション６３４は付勢バネ６５や焦点板６２に隠れて視認できないが、図１５では、防塵クッション６３４(平行斜線部)を透過的に図示している。
【００７０】
防塵クッション６３４は、上述のように表示ユニット６３の開閉動作を行うために一定の間隙が生じる機構部などより内側の領域に配設される。具体的には、表示ユニット６３を、その回動軸の両端部にある各ピンＰｂ、Ｐｃの周りに回動させる２つのヒンジ部(回動部)Ｈ１、Ｈ２に挟まれる内部領域には、略矩形環状の防塵クッション６３４が設けられている。このような防塵クッション６３４の配置により、光学ファインダ部６０の内部に異物が侵入するのを適切に防止することが可能となる。
【００７１】
また、図１６(ａ)に示す断面イメージ図のように表示ユニット６３のホルダ６３３上に保持される防塵クッション６３４に対して、スペーサ６４と焦点板６２とを介して付勢バネ６５による荷重(圧縮荷重)Ｐｒが与えられることで、図１６(ｂ)に示す概念図のようにスペーサ６４と表示ユニット６３のホルダ６３３との間隙を埋めるように防塵クッション６３４が変形する。このようにファインダ内ＬＣＤ６３１と焦点板６２との間に設けられる防塵クッション６３４を圧縮して変形させることにより、気密性が高まるため、外部から異物が侵入してファインダ内ＬＣＤ６３１の焦点板６２側の表面(外側表面)６３１ａに付着するのを防止できる。
【００７２】
なお、付勢バネ６５で生じる荷重(付勢力)Ｐｒにより防塵クッション６３４を圧縮状態で保持するには、防塵クッション６３４による反発力Ｆａと付勢バネ６５による付勢力Ｆｂとに関してＦａ＜Ｆｂの条件を満たす必要がある。この条件を満足しない場合には、焦点板６２が浮いてしまい結像位置などに誤差が生じてしまう。一方、付勢バネ６５による付勢力Ｆｂを過大に設定すると、焦点板６２やスペーサ６４の変形を引き起こす可能性がある。また、防塵クッション６３４の厚み，形状および材質により定まる反発力Ｆａと付勢バネ６５の材質および形状により定まる付勢力Ｆｂとは、その部品バラツキも含めて精度良く設定する必要がある。よって、防塵クッション６３４による反発力Ｆａと付勢バネ６５による付勢力Ｆｂとについては、その部品バラツキを含めて実測するとともに、焦点板６２の位置および変形に関しての実機評価を行うことによって適正な設計値を求めるのが好ましい。
【００７３】
以上のような防塵クッション６３４の配置と付勢バネ６５による圧縮変形とにより、光学ファインダ部６０の密閉性が向上するため、光学ファインダ部６０内への異物侵入防止を適切に図れることとなる。
【００７４】
また、光学ファインダ部６０においては、図１６のようにファインダ内ＬＣＤ６３１の内側表面６３１ｂが、その全周に渡ってペンタホルダ６１ｈの受け面６１ｈａで面接触されて保持されており、付勢バネ６５による適度な荷重が与えられている。その結果、ファインダ内ＬＣＤ６３１の内側表面６３１ｂとペンタホルダ６１ｈの受け面６１ｈａとの間に形成される間隙が抑制されるため、上述した防塵クッション６３４による異物侵入防止効果に加え、光学ファインダ部６０内への異物侵入防止を効果的に図れる。
【００７５】
以上で説明した撮像装置１の光学ファインダ部６０においては、図１１および図１２に示すように表示ユニット６３を、全閉位置Ｑａから光学ファインダ部６０の開口ＯＰが開蓋される全開位置Ｑｅに移行できるため、表示ユニット６３が設けられていても光学ファインダ部６０の内部の異物を容易に除去することが可能となる。
【００７６】
＜変形例＞
上記の実施形態においては、照明用ＬＥＤ６３２をＬＥＤ用ＦＰＣ６３５ｆに設置するのは必須でなく、図１７(ａ)に示すようにＬＣＤ用ＦＰＣ６３１ｆに実装するようにしても良い。これにより、ＬＥＤ用ＦＰＣ６３５ｆを削減できるため、光学ファインダ部６０の小型化が図れる。一方、図１７(ｂ)に示すように２個の照明用ＬＥＤ６３２をそれぞれＬＥＤ用ＦＰＣ６３５ｆおよびＬＣＤ用ＦＰＣ６３１ｆに実装するようにしても良い。これにより、より照明ムラの少ない高性能な照明が可能となる。
【００７７】
上記の実施形態においては、表示ユニット６３をピンＰｂ、Ｐｃ等からなるヒンジ部により開閉可能な構成とするのは必須でなく、表示ユニット６３を光学ファインダ部６０に対し着脱可能な構成として上述のセット状態と非セット状態との状態遷移を行うようにしても良い。この場合には、侵入した異物の清掃作業を一層容易に行えることとなる。ただし、表示ユニット６３を光学ファインダ部６０から分離して引き出すためには、ＬＣＤ用ＦＰＣ６３１ｆおよびＬＥＤ用ＦＰＣ６３５ｆに十分な長さを付与し、これらのＦＰＣ６３１ｆ、６３５ｆの格納スペースを光学ファインダ部６０内などに設けるようにするか、ＬＣＤ用ＦＰＣ６３１ｆおよびＬＥＤ用ＦＰＣ６３５ｆの着脱を可能とするコネクタ等を光学ファインダ部６０等に設ける必要がある。なお、コネクタ等によりＬＣＤ用ＦＰＣ６３１ｆおよびＬＥＤ用ＦＰＣ６３５ｆの着脱を可能とすれば、カメラ本体部２を分解することなく、故障時や新製品への更新時などに表示ユニット６３の交換を容易に行えることとなる。
【００７８】
上記の実施形態においては、光学ファインダ部６０を一眼レフタイプのデジタルカメラに搭載するのは必須でなく、一眼レフタイプの銀塩カメラに搭載するようにしても良い。
【００７９】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【００８０】
１  撮像装置
２  カメラ本体部（カメラボディ）
３  交換式の撮影レンズユニット（交換レンズ）
１０  ファインダ窓
６０  光学ファインダ部
６１  ペンタミラー
６１ｈ  ペンタホルダ
６２  焦点板
６３  表示ユニット
６４  スペーサ
６５  付勢バネ
６９  ドライバ
１０１  全体制御部
６３１  ファインダ内ＬＣＤ
６３１ｆ  ＬＣＤ用フレキシブルプリント基板(ＦＰＣ)
６３２  照明用ＬＥＤ
６３３  ホルダ
６３３ｋ  エッジ部
６３４  防塵クッション
６３５  フレキシブルプリント基板(ＦＰＣ)
６３５ｆ  ＬＥＤ用フレキシブルプリント基板(ＦＰＣ)
ＤＴ  両面テープ
Ｈｃ  カム孔
Ｍｔ  マウント部
Ｐａ〜Ｐｃ  ピン
Ｑａ  表示ユニットの全閉位置
Ｑｅ  表示ユニットの全開位置
【図１】
2011033670.tif 000003
【図２】
2011033670.tif 000004
【図３】
2011033670.tif 000005
【図４】
2011033670.tif 000006
【図５】
2011033670.tif 000007
【図６】
2011033670.tif 000008
【図７】
2011033670.tif 000009
【図８】
2011033670.tif 000010
【図９】
2011033670.tif 000011
【図１０】
2011033670.tif 000012
【図１１】
2011033670.tif 000013
【図１２】
2011033670.tif 000014
【図１３】
2011033670.tif 000015
【図１４】
2011033670.tif 000016
【図１５】
2011033670.tif 000017
【図１６】
2011033670.tif 000018
【図１７】
2011033670.tif 000019